(57)【要約】【課題】例えばカテーテルのようなワークをしぼり型の空間に挿入する際に、例えばバルーンのようなワークの加工部位の大きさによらず、挿入時のワークの損傷防止が可能な加工装置及び加工方法を提供すること。【解決手段】水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型と、  該しぼり型の前記空間内を前記長軸方向に沿って相対的に移動可能で、前記空間内で鉛直方向下側からワークを支持可能なワーク保持部と、  しぼり型の前記長軸方向に沿ってワークを相対的に移動させつつ固定するワーク固定部とを有する加工装置。【選択図】図８Ｃ
2017158884.tif 000002
【特許請求の範囲】
【請求項１】
水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型と、
該しぼり型の前記空間内を前記長軸方向に沿って相対的に移動可能で、前記空間内で鉛直方向下側からワークを支持可能なワーク保持部と、
しぼり型の前記長軸方向に沿ってワークを相対的に移動させつつ固定するワーク固定部とを有する加工装置。
【請求項２】
ワーク保持部がワーク接触部を備え、しぼり型の長軸方向に垂直な方向のワーク接触部の断面が円弧状又は円形状である請求項１に記載の加工装置。
【請求項３】
ワークが先端側にバルーンを有するバルーンカテーテルであり、ワーク固定部が、バルーンより後端側を固定する請求項１又は２に記載の加工装置。
【請求項４】
ワークが先端側にバルーンを有するバルーンカテーテルであり、ワーク保持部が、バルーンの先端側を支持する請求項１から３のいずれか１項に記載の加工装置。
【請求項５】
ワークが先端側にバルーンを有するバルーンカテーテルであり、しぼり型が、バルーンを折り畳むための構造を備える請求項１から４のいずれか１項に記載の加工装置。
【請求項６】
前記ワーク固定部が、しぼり型の長軸方向に交差する方向で且つ水平方向に相対的に移動可能である請求項１から５のいずれか１項に記載の加工装置。
【請求項７】
前記しぼり型が、しぼり型の長軸方向に交差する方向で且つ水平方向に複数設置された請求項６に記載の加工装置。
【請求項８】
前記ワーク固定部が、しぼり型の長軸方向に交差する方向で且つ水平方向に複数連設された請求項６又は７に記載の加工装置。
【請求項９】
ワークをワーク固定部に固定する固定工程、
水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型の前記空間の大きさを、ワーク保持部及びワークを配置可能な大きさにするしぼり型準備工程、
しぼり型の前記空間に、ワークを鉛直方向下側から支持するワーク保持部の存在下で、ワークを前記長軸方向に配置する配置工程、
ワーク保持部を前記空間から除去する除去工程、
しぼり型の前記空間の大きさを縮小させ、前記空間に配置されているワークを加工する加工工程を含むワークの加工方法。
【請求項１０】
ワーク保持部は、配置工程において、しぼり型の一方端側から前記長軸方向に沿って前記空間に挿入され、かつ、除去工程において、当該一方端側から前記長軸方向に沿って前記空間から除去される請求項９に記載のワークの加工方法。
【請求項１１】
ワーク保持部は、しぼり型の前記空間の長軸方向の長さより長く、
配置工程において、ワーク保持部は、しぼり型の他方端側から突出するように設置されており、ワーク保持部のうちのしぼり型の他方端側から突出した部分にワークの一部を支持しつつ、ワーク固定部とともに前記長軸方向に沿ってしぼり型に対して相対的に移動し、
除去工程において、ワーク保持部は、前記長軸方向に沿ってしぼり型に対して相対的に移動し、しぼり型の一方端側から除去される請求項９に記載のワークの加工方法。
【発明の詳細な説明】
【技術分野】
【０００１】
本発明は、ワークの加工装置及び加工方法に関し、特に、可撓性を有するワークを加工する加工装置及び加工方法に関する。
【背景技術】
【０００２】
各種のワークの特定の位置に所望の加工を施す場合、ワークを加工装置の所定の位置に配置して、所望の加工を施す必要がある。このようにワークを所定の位置に配置する場合、加工装置の構造やワークの特性によっては、ワークを所定の位置に配置するのに困難を伴う場合がある。この点について、ワークが可撓性を有するものである場合、より具体的にはバルーンカテーテルである場合を例として図面を参照しつつ説明する。
【０００３】
このバルーンカテーテルは、一般に、先端側から後端側に連通する空間を有する長尺で可撓性の筒状体の先端側に、流体により膨張と収縮を制御可能なバルーンが設けられた構造を有する。図１は、マンドレルが挿入された状態の一般的なバルーンカテーテルの先端部分を模式的に示した断面図である。図１に示すバルーンカテーテル１００は、外管１０１及び外管１０１の全長に亘り形成された内腔部１０２の全体又は先端側の所定長さに亘り設けられた内管１０３で構成される筒状体と、内管１０３と外管１０１の先端部分で両端部分が接合されたバルーン１０４とを備える。バルーン１０４の内腔部１０６は、外管１０１の内周面と内管１０３の外周面とで形成される空間と連通し、バルーンカテーテル１００の後端側で内腔部１０６における流体の注入及び排出が可能になっている。尚、図１に示すマンドレル１０５は後述するように、加工装置に配置する際に可撓性のある筒状体の剛性を向上させるために使用するものである。図１に示されるバルーン１０４は、予め形状が付与された賦形バルーンである。バルーンカテーテルは、例えば生体内等に対して挿入あるいは抜去を行う際の抵抗を小さくするために、予めバルーン１０４を収縮状態にした時に、バルーン１０４が折畳まれて内管１０３から放射方向に突出するとともに長さ方向に伸びる複数の翼部が形成され、翼部が内管１０３に巻き付けて折り重ねられた状態に保持させることが一般的に行われている。近年、バルーンをこのように折畳んだ後に折り重ねる際には、翼部を形成する折畳装置と形成された翼部を折り重ねその状態を保持させる折り重ね装置が使用されるようになっており、各種の装置が提案されている（例えば、特許文献１〜３参照。）。
【０００４】
例えば、特許文献１の図４２〜図４４には、折り畳みヘッド組立体（符号１７１）、折り重ねヘッド組立体（符号１７２）、空気圧式作動装置（符号１７４）、作動制御システム（符号１７８）を備えるバルーン折り畳み折り重ねシステム（符号１７０）が記載されている。折り畳みヘッド組立体は、例えば特許文献１の図１１Ａ、１１Ｂに示すような構造を有し得、複数のセグメント（符号３３）により囲まれて形成される空間にバルーン部分が配置可能になっており、例えば特許文献１の図２９Ａ〜Ｃに示されるように、その空間の大きさを小さくした時に、バルーンを折り畳むことが可能なしぼり型として機能する。尚、そのセグメントの数はバルーンを折り畳んだ時に形成される翼部の数により適宜決定される。折り重ねヘッド組立体は、例えば特許文献１の図１０、３４に示すような構造を有し得、複数のセグメント（符号３３）により形成される空間に折り畳まれたバルーン部分が配置可能になっており、例えば特許文献１の図２３Ａ〜図２７Ｃに示されるように、その空間の大きさを変動させた時に、折り畳まれたバルーンを折り重ねることが可能なしぼり型として機能する。
【０００５】
このようなバルーン折り畳み折り重ねシステムを用いて、バルーンカテーテルのバルーンを折り畳んだり、折り畳んだバルーンを折り重ねたりする場合、一般には図２Ａ〜２Ｄの概念図に示す工程を経る。図２Ａは、バルーンを折り畳むための複数のセグメントを有するしぼり型２０１、バルーンカテーテル２０２を固定するワーク固定部２０４、ワーク固定部２０４を支持する架台部２０５とを備える従来の加工装置２００に対して、先端部分にバルーン２０３を有するバルーンカテーテル２０２をワーク固定部２０４に固定した時の状態を示した概念図である。この時、バルーンカテーテル２０２のバルーン２０３はしぼり型２０１の外部に位置している。その後、ワーク固定部２０４をしぼり型２０１に対して図２Ａ中矢印で示す方向に相対的に移動させ、図２Ｂに示すように、しぼり型２０１に形成されている空間２０６にバルーン２０３を配置する。次に、しぼり型２０１の空間２０６の大きさが小さくなるように複数のセグメント２０１ａ、ｂ等を図２Ｂ中矢印で示す方向に移動させ、図２Ｃに示すように、バルーン２０３に翼部２０３ａ、ｂ等を形成させる。そして、しぼり型２０１の空間２０６の大きさが大きくなるように複数のセグメント２０１ａ、ｂ等を図２Ｃ中矢印で示す方向に移動させた後、ワーク固定部２０４をしぼり型２０１に対して図２Ｃ中矢印で示す方向に相対的に移動させ、図２Ｄに示すように、しぼり型２０１の空間２０６から折り畳まれたバルーン部分をしぼり型２０１の外側に移動させる。
【０００６】
このような従来の加工装置を用いると、バルーンカテーテルの特性によっては、バルーン２０３をしぼり型２０１の空間２０６に挿入する際に、図３に示すようなバルーン２０３の部分で生じた自重による垂れ下がり、或いは、バルーン部分自体に生じている湾曲に起因して、しぼり型２０１の空間２０６にバルーン２０３の部分をそのままでは挿入が困難な状況が生じるという問題がある。
【０００７】
このような問題点に対しては、例えば、図４に示すように、しぼり型２０１のバルーン２０３の挿入口２０８に誘導部２０７を設けることで、バルーン２０３の挿入を補助することが提案されている。誘導部２０７には、しぼり型２０１の空間２０６から外側に向かう方向に拡大する傾斜部２０９を有する貫通空間が形成されている。そのため、バルーン２０３の部分の垂れ下がりがあった場合でも、垂れ下がったバルーン２０３の先端が傾斜部２０９に接することで、ワーク固定部２０４をしぼり型２０１側に移動させても、傾斜部２０９に沿って挿入口２０８に誘導可能なため、バルーン２０３をしぼり型２０１の空間２０６に挿入させることがある程度可能になる。
【０００８】
しかし、このような誘導部を設けても、バルーン２０３の部分で自重による垂れ下がりや、バルーン部分自体の湾曲が大きい場合は、誘導部では対応できない場合がある。また、前述のように挿入が可能であった場合でも、図５に示すように、例えばしぼり型２０１が４つのセグメント２１１、２１２、２１３、２１４を有している場合、セグメント２１２、２１３の突出部２１６、２１７の突端にバルーン２０３の鉛直方向下側部分が接触することになる。このように突端と接触しながらバルーン２０３が空間２０６内を移動するため、バルーン２０３が損傷する可能性がある。また、図１に示すようにバルーンカテーテル２０２にマンドレル（１０５）を挿入している場合は、バルーンカテーテル２０１の先端から突出するマンドレルがしぼり型２０１のセグメント２１１、２１２、２１３、２１４の隣接する突出部２１５、２１６、２１７、２１８の間に入り込み、空間２０６の大きさを小さくして加工する際にマンドレルの噛み込みが生じ、折り畳み不良や型の損傷が生じる可能性がある。しぼり型２０１の挿入口２０８の大きさをバルーン２０３の大きさに合わせることで、このようなマンドレルの噛み込みはある程度防止可能ではあるが、バルーン２０３の大きさに応じて挿入口２０８の大きさを調整する必要があるという問題がある。
【先行技術文献】
【特許文献】
【０００９】
【特許文献１】特表２００４−５２５７０４号公報
【特許文献２】特開２００６−２７１６７８号公報
【特許文献３】特表２０１３−５６０７０号公報
【発明の概要】
【発明が解決しようとする課題】
【００１０】
前述の問題点に鑑みて、本発明の目的とするところは、例えばカテーテルのようなワークをしぼり型の空間に挿入する際に、例えばバルーンのようなワークの加工部位の大きさによらず、挿入時のワークの損傷防止が可能な加工装置及び加工方法を提供することにある。
【課題を解決するための手段】
【００１１】
本発明者らは、鋭意検討の結果、しぼり型の空間内で鉛直方向下側からワークを支持可能な構成を設けることで、前述の課題を解決可能であることを見出し、本発明を完成させるに至った。本発明の要旨は以下のとおりである。
【００１２】
本発明の第一は、
水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型と、
該しぼり型の前記空間内を前記長軸方向に沿って相対的に移動可能で、前記空間内で鉛直方向下側からワークを支持可能なワーク保持部と、
しぼり型の前記長軸方向に沿ってワークを相対的に移動させつつ固定するワーク固定部とを有する加工装置、に関する。
【００１３】
本発明の実施形態では、ワーク保持部がワーク接触部を備え、しぼり型の長軸方向に垂直な方向のワーク接触部の断面が円弧状又は円形状であるのが好ましい。
【００１４】
本発明の実施形態では、ワークが先端側にバルーンを有するバルーンカテーテルであってもよい。この場合、ワーク固定部は、バルーンより後端側を固定するのが好ましい。また、ワーク保持部は、バルーンの先端側を支持するのが好ましい。また、しぼり型は、バルーンを折り畳むための構造を備えるのが好ましい。
【００１５】
本発明の実施形態では、ワーク固定部が、しぼり型の長軸方向に交差する方向で且つ水平方向に相対的に移動可能であるのが好ましい。またこの場合、しぼり型は、しぼり型の長軸方向に交差する方向で且つ水平方向に複数設置されるのが好ましい。
【００１６】
本発明の実施形態では、ワーク固定部は、しぼり型の長軸方向に交差する方向で且つ水平方向に複数連設されるのが好ましい。
【００１７】
本発明の第二は、
ワークをワーク固定部に固定する固定工程、
水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型の前記空間の大きさをワーク保持部及びワークが配置可能な大きさにするしぼり型準備工程、
しぼり型の前記空間に、ワークを鉛直方向下側から支持するワーク保持部の存在下で、ワークを前記長軸方向に配置する配置工程、
ワーク保持部を前記空間から除去する除去工程、
しぼり型の前記空間の大きさを縮小させ、前記空間に配置されているワークを加工する加工工程を含むワークの加工方法、に関する。
【００１８】
本発明の実施形態では、ワーク保持部は、配置工程において、しぼり型の一方端側から前記長軸方向に沿って前記空間に挿入され、かつ、除去工程において、当該一方端側から前記長軸方向に沿って前記空間から除去されてもよい。
【００１９】
また、本発明の実施形態では、ワーク保持部は、しぼり型の前記空間の長軸方向の長さより長く、
配置工程において、ワーク保持部は、しぼり型の一方端側から突出するように設置されており、ワーク保持部のうちのしぼり型の一方端側から突出した部分にワークの一部を支持しつつ、ワーク固定部とともに前記長軸方向に沿ってしぼり型に対して相対的に移動し、
除去工程において、ワーク保持部は、前記長軸方向に沿ってしぼり型に対して相対的に移動し、しぼり型の一方端側から除去されてもよい。
【発明の効果】
【００２０】
本発明によれば、例えばカテーテルのようなワークをしぼり型の空間に挿入する際に、例えばバルーンのようなワークの加工部位の大きさによらず、挿入時のワークの損傷防止が可能な加工装置及び加工方法を提供することができる。また、ワークがバルーンカテーテルである場合は、加工の際に使用するマンドレルの噛み込みを防止して、バルーンの折り畳み不良や型の損傷を防止することができるため、安定してバルーンの折り畳み等の加工が可能になる。
【図面の簡単な説明】
【００２１】
【図１】マンドレルが挿入された状態の一般的なバルーンカテーテルの先端部分を模式的に示した断面図である。
【図２Ａ】従来のしぼり型を有する加工装置を用いてワークとしてのバルーンカテーテルを加工する際に、加工装置にバルーンカテーテルを固定した時の状態の一例を示した概念図である。
【図２Ｂ】従来のしぼり型を有する加工装置を用いてワークとしてのバルーンカテーテルを加工する際に、しぼり型の空間にバルーンカテーテルのバルーンを配置した時の状態の一例を示した概念図である。
【図２Ｃ】従来のしぼり型を有する加工装置を用いてワークとしてのバルーンカテーテルを加工する際に、しぼり型によりバルーンを折り畳み加工している時の状態の一例を示した概念図である。
【図２Ｄ】従来のしぼり型を有する加工装置を用いてワークとしてのバルーンカテーテルを加工する際に、折り畳まれた状態のバルーンをしぼり型の外部に移動させた時の状態の一例を示した概念図である。
【図３】従来のしぼり型を有する加工装置を用いてワークとしてのバルーンカテーテルを加工する際に、加工装置にバルーンカテーテルを固定した時の状態の他の例を示した概念図である。
【図４】従来のしぼり型を有する加工装置を用いてワークとしてのバルーンカテーテルを加工する際に、しぼり型の空間にバルーンカテーテルのバルーンを挿入している途中の状態の一例を示した概念図である。
【図５】図４の状態において、しぼり型の図４左側からの平面視の一部を模式的に示した説明図である。
【図６Ａ】本発明において使用可能なしぼり型の第一実施形態に、ワーク保持部の第一実施形態及びバルーンカテーテルを配置した時の状態の一部を模式的に示した説明図である。
【図６Ｂ】本発明において使用可能なしぼり型の第二実施形態に、ワーク保持部の第一実施形態及びバルーンカテーテルを配置した時の状態の一部を模式的に示した説明図である。
【図６Ｃ】本発明において使用可能なしぼり型の第三実施形態に、ワーク保持部の第一実施形態及びバルーンカテーテルを配置した時の状態の一部を模式的に示した説明図である。
【図６Ｄ】図６Ａに示すしぼり型を使用して折り畳み加工されたバルーンカテーテルのバルーンの折り畳み状態を模式的に示した説明図である。
【図６Ｅ】図６Ｂに示すしぼり型を使用して折り畳み加工されたバルーンカテーテルのバルーンの折り畳み状態を模式的に示した説明図である。
【図６Ｆ】図６Ｃに示すしぼり型を使用して折り畳み加工されたバルーンカテーテルのバルーンの折り畳み状態を模式的に示した説明図である。
【図７】本発明において使用可能なしぼり型の第一実施形態に、ワーク保持部の第二実施形態及びバルーンカテーテルを配置した時の状態の一部を模式的に示した説明図である。
【図８Ａ】本発明に係る加工装置の第一実施形態を用いてワークを加工する際の固定工程及びしぼり型準備工程を行った時の状態を模式的に示した図である。
【図８Ｂ】本発明に係る加工装置の第一実施形態を用いてワークを加工する際に、しぼり型の空間にワーク保持部が挿入された時の状態を模式的に示した図である。
【図８Ｃ】本発明に係る加工装置の第一実施形態を用いてワークを加工する際に、配置工程が終了した時の状態を模式的に示した図である。
【図８Ｄ】本発明に係る加工装置の第一実施形態を用いてワークを加工する際に、除去工程が終了した時の状態を模式的に示した図である。
【図９Ａ】本発明に係る加工装置の第二実施形態を用いてワークを加工する際に、しぼり型の他方端の側から突出するようにワーク保持部が設置された時の状態を模式的に示した図である。
【図９Ｂ】本発明に係る加工装置の第二実施形態を用いてワークを加工する際に、固定工程が終了した時の状態を模式的に示した図である。
【図９Ｃ】本発明に係る加工装置の第二実施形態を用いてワークを加工する際に、配置工程が終了した時の状態を模式的に示した図である。
【図９Ｄ】本発明に係る加工装置の第二実施形態を用いてワークを加工する際に、除去工程が終了した時の状態を模式的に示した図である。
【図１０Ａ】本発明に係る加工装置の第三実施形態を用いてワークを加工する際に、しぼり型の他方端の側から突出するようにワーク保持部が設置された時の状態を模式的に示した図である。
【図１０Ｂ】本発明に係る加工装置の第三実施形態を用いてワークを加工する際に、固定工程が終了した時の状態を模式的に示した図である。
【図１０Ｃ】本発明に係る加工装置の第三実施形態を用いてワークを加工する際に、配置工程が終了した時の状態を模式的に示した図である。
【図１０Ｄ】本発明に係る加工装置の第三実施形態を用いてワークを加工する際に、除去工程が終了した時の状態を模式的に示した図である。
【図１１Ａ】本発明に係る加工装置の第四実施形態を使用して、複数種のしぼり型を有しかつ複数のワーク固定部を設けて連続的にワークを加工する際に、所定の準備が行われた各しぼり型にバルーンカテーテルのバルーンをしぼり型に挿入する直前の状態を示した図である。
【図１１Ｂ】本発明に係る加工装置の第四実施形態を使用して、複数種のしぼり型を有しかつ複数のワーク固定部を設けて連続的にワークを加工する際に、各しぼり型にバルーン部分が挿入され、各しぼり型により所定の加工が行われている時の状態を模式的に示した図である。
【図１１Ｃ】本発明に係る加工装置の第四実施形態を使用して、複数種のしぼり型を有しかつ複数のワーク固定部を設けて連続的にワークを加工する際に、加工工程が終了した後の状態を模式的に示した図である。
【発明を実施するための形態】
【００２２】
以下、本発明の実施形態について図面を参照しつつ説明する。尚、便宜上、図面において符号を省略する場合もあるが、この場合、他の図面を参照するものとする。また、図面における種々部材の寸法は、便宜上、見やすいように調整されていることもある。
【００２３】
本発明に係る加工装置は、水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型と、該しぼり型の前記空間内を前記長軸方向に沿って相対的に移動可能で、前記空間内で鉛直方向下側からワークを支持可能なワーク保持部と、しぼり型の前記長軸方向に沿ってワークを相対的に移動させつつ固定するワーク固定部とを有する。
【００２４】
このように、所定のしぼり型の空間内で鉛直方向下側からワークを支持可能なワーク保持部を設けることで、ワークをしぼり型の空間内に挿入する際に、しぼり型の空間内でしぼり型の構成部材に接することを抑制することができる。そのため、ワークの大きさによってしぼり型の空間の大きさを調整する必要がない。また、しぼり型の構成部材に起因してワークが損傷することを防止することができる。
【００２５】
本発明の加工装置に好適なワークとしては、しぼり型に形成される空間へワークの少なくとも一部を挿入する際に鉛直方向下側に垂れ下がり易いもの、ワークの加工対象部位に湾曲した形状を含み得るもの等が挙げられる。このようなワークとしては、例えば、可撓性を有するチューブなどが挙げられる。このうち、特に先端側にバルーンを有するカテーテル、所謂バルーンカテーテルがより好適である。また、バルーンの長軸方向の長さが１００ｍｍ以上である場合に特に好適である。ここで、バルーンの長軸方向の長さは、例えば図１に示す構造では、バルーン１０４の内腔部１０６を形成している部分の長軸方向の長さＬを意味する。また、バルーンは、折り畳みが必要な賦形バルーンが好適である。
【００２６】
本発明の加工装置で使用可能なしぼり型は、水平方向に一方端と他方端を有する。また、当該一方端から他方端に亘る長軸方向にワークの少なくとも一部を受け入れ可能な空間が形成される。そして、その長軸方向に直交する方向の前記空間の大きさを変動可能に構成されたものである。このようなしぼり型は、ワークに対して行う加工に応じて適宜決定することができる。ワークが、バルーンカテーテルである場合は、例えば、バルーンカテーテルのバルーンを折り畳むための構造を備えるしぼり型、折り畳まれたバルーンを折り重ねるための構造を備えるしぼり型等が挙げられる。このうち、本発明の効果をより享受できる観点から、バルーンカテーテルのバルーンを折り畳むための構造を備えるしぼり型が好適である。このような型は、例えば特許文献１〜３に記載のものを用いることができるが、これらに限定されるわけではない。
【００２７】
ここで、バルーンカテーテルのバルーンを折り畳むための構造を備えるしぼり型について、図面を用いて簡単に説明する。図６Ａ〜６Ｃは、それぞれバルーンカテーテルのバルーンを折り畳むための構造を備えるしぼり型の第一〜三実施形態の使用状態の一部を模式的に示したものである。図６Ａは、第一実施形態に係る折畳しぼり型３０１の空間３１８に後述するワーク保持部４１０とバルーンカテーテル１００が配置された時の状態を示したものである。折畳しぼり型３０１は、４つのセグメント３１０、３１１、３１２、３１３を有する。そして、空間３１８からワーク保持部４１０を除去した後に、４つのセグメント３１０、３１１、３１２、３１３を移動させ、折畳しぼり型３０１の長軸方向に直交する方向において、空間３１８の大きさを小さくすることで、長軸方向に沿って図６Ｄに示すようにバルーン１０４に４つの翼部１１０、１１１、１１２、１１３を形成させる。４つのセグメント３１０、３１１、３１２、３１３を、その突出部３１４、３１５、３１６、３１７の突端がバルーンカテーテルの内管１０３に向かうように移動させ、４つの突端によりバルーン１０４の外表面を押圧しつつ、各突出部３１４、３１５、３１６、３１７の間の隙間を狭めて、その各隙間にバルーン１０４を挟み込むことで、バルーン１０４を４つの翼部が形成されるように折り畳むことができる。
【００２８】
図６Ｂは、第二実施形態に係る折畳しぼり型３０２の空間３２６に後述するワーク保持部４１０とバルーンカテーテル１００が配置された時の状態を示したものである。折畳しぼり型３０２は、３つのセグメント３２０、３２１、３２２を有する。そして、空間３２６からワーク保持部４１０を除去した後に、３つのセグメント３２０、３２１、３２２を移動させ、折畳しぼり型３０２の長軸方向に直交する方向において、空間３２６の大きさを小さくすることで、長軸方向に沿って図６Ｅに示すようにバルーン１０４に３つの翼部１２０、１２１、１２２を形成させる。３つのセグメント３２０、３２１、３２２を、その突出部３２３、３２４、３２５の突端がバルーンカテーテルの内管１０３に向かうように移動させ、３つの突端によりバルーン１０４の外表面を押圧しつつ、各突出部３２３、３２４、３２５の間の隙間を狭めて、その各隙間にバルーン１０４を挟み込むことで、３つの翼部が形成されるようにバルーン１０４を折り畳むことができる。
【００２９】
図６Ｃは、第二実施形態に係る折畳しぼり型３０３の空間３４０に後述するワーク保持部４１０とバルーンカテーテル１００が配置された時の状態を示したものである。折畳しぼり型３０３は、５つのセグメント３３０、３３１、３３２、３３３、３３４を有する。そして、空間３４０からワーク保持部４１０を除去した後に、５つのセグメント３３０、３３１、３３２、３３３、３３４を移動させ、折畳しぼり型３０３の長軸方向に直交する方向において、空間３４０の大きさを小さくすることで、長軸方向に沿って図６Ｆに示すようにバルーン１０４に５つの翼部１３０、１３１、１３２、１３３、１３４を形成させる。５つのセグメント３３０、３３１、３３２、３３３、３３４を、その突出部３３５、３３６、３３７、３３８、３３９の突端がバルーンカテーテルの内管１０３に向かうように移動させ、５つの突端によりバルーン１０４の外表面を押圧しつつ、各突出部３３５、３３６、３３７、３３８、３３９の間の隙間を狭めて、その各隙間にバルーン１０４を挟み込むことで、５つの翼部が形成されるようにバルーン１０４を折り畳むことができる。
【００３０】
尚、以上ではバルーンに３〜５つの翼部を形成する場合の折畳しぼり型の例を示したが、２つ又は６つ以上の翼部を形成する場合も、翼部の数に応じて折畳しぼり型のセグメントの数を設定することで、同様にすることができる。
【００３１】
また、折畳しぼり型３０１、３０２、３０３は、図８Ａ〜図１０Ｄに示すように、各セグメントがしぼり型の長軸方向に沿ってバルーンカテーテルのバルーンの長軸方向の長さよりも長い長さを有するのが好ましい。また、ワーク及びワーク保持部の挿入のため、両端で開口しているのが好ましい。そして、図６Ａ〜Ｃに示すように、各セグメントの突出部の突端部分がバルーン及びワーク保持部を囲み得るように設けられる。このようにして、折畳しぼり型３０１、３０２、３０３には、水平方向に一方端と他方端を有し、一方端から他方端に亘る長軸方向にワークであるバルーンカテーテルの少なくとも一部であるバルーンを受け入れ可能な空間３１８、３２６、３４０が形成される。また、前述のようにして、しぼり型の長軸方向に直交する方向において、空間３１８、３２６、３４０の大きさを小さくすることでバルーンに折り畳み加工を施すことができ、その後元の大きさにする等して、バルーンを空間３１８、３２６、３４０から取り出すことができるように構成される。即ち、折畳しぼり型３０１、３０２、３０３は、しぼり型の長軸方向に直交する方向において、空間３１８、３２６、３４０の大きさを変動可能になっている。
【００３２】
本発明では、しぼり型が、しぼり型の長軸方向に交差する方向で且つ水平方向に複数設置されていてもよい。この場合、異なる加工を行うしぼり型を各１つ設置することで複数設置してもよいし、同一の加工を行うものを複数設置してもよいし、異なる加工を行うしぼり型を各複数設置することで複数設置してもよい。例えば、１つの折畳しぼり型と１つの折り重ねしぼり型の場合、複数の折畳しぼり型の場合、複数の折畳しぼり型と複数の折り重ねしぼり型の場合等が例示できる。また、複数のワークを加工する場合は、複数のワークに対して相対的にしぼり型がしぼり型の長軸方向に交差する方向で且つ水平方向に移動可能に構成してもよい。
【００３３】
本発明を構成するワーク保持部は、しぼり型の空間内を、しぼり型の長軸方向に沿って相対的に移動可能に構成されている。これにより、しぼり型の空間内にワークを挿入する時には当該空間内に配置させるとともに、加工時にはしぼり型の空間内から容易に除去することができる。また、ワーク保持部は、しぼり型の空間内で鉛直方向下側からワークを支持可能に構成されている。これにより、ワークのしぼり型との接触による損傷を防止することができる。
【００３４】
ワーク保持部を、しぼり型の長軸方向に沿ってしぼり型に対して相対的に移動させる移動機構は、特に限定はない。例えば、しぼり型の長軸方向のみに移動方向が規制された誘導路を設け、当該誘導路に沿って移動する移動部とワーク保持部とを連結させることで構成することができるが、これに限定されるものではない。また、移動部の移動は手動又は公知の自動駆動装置を採用することができる。
【００３５】
ワーク保持部の構造は、しぼり型の空間内にワークを挿入する時に、鉛直方向下側からワークを支持可能であれば特に限定はなく、しぼり型の空間の構造、ワークの特性等に応じて適宜決定することができる。しぼり型の長軸方向に垂直な方向の断面は、例えば、円弧状、楕円弧状、Ｕ字状、Ｖ字状、円形状、楕円形状、多角形状、平板状等が挙げられる。このうち、ワークと接触する部分は、ワークをより安定して保持する観点から、円弧状、楕円弧状、円形状、楕円形状が好ましく、円形状又は円弧状がより好ましい。図６Ａ〜図６Ｃは、断面円形状の第一実施形態に係るワーク保持部４１０を使用した時の状態をワークであるバルーンカテーテルの先端側からの正面視で模式的に示したものである。図７は断面円弧状の第二実施形態に係るワーク保持部４１１を使用した時の状態をワークであるバルーンカテーテルの先端側からの正面視で模式的に示したものである。円弧状の場合、バルーン部分をしぼり型の空間に挿入する時にバルーン保持部からの飛び出し等をより効果的に防止する観点から、中心角が１３０〜２７０°が好ましい。また、ワークがバルーンカテーテルである場合は、ワーク保持部は、垂れ下がりやバルーン部分自体に生じている湾曲に起因する、しぼり型の中心軸からの変位が最も大きいバルーンの先端側を支持するのが好ましい。
【００３６】
尚、ワーク保持部のうち、ワークと接触する部分をワーク接触部と称する。即ち、ワーク保持部には、ワークと接触する部分と接触しない部分を設けることができる。ワークと接触しない部分の構造は、しぼり型の空間に配置される場合は、空間の構造に応じて適宜決定すればよい。ワークと接触しない部分の構造は、しぼり型の空間に配置されない場合は特に限定はない。
【００３７】
ワーク保持部のしぼり型の長軸方向の長さは特に限定はなく、しぼり型の空間にワークを挿入させる時の構成に応じて適宜決定することができる。前記長さは、しぼり型の長軸方向の長さと同じでもよいし、長くてもよい。しぼり型の長軸方向の長さより長い場合、しぼり型のワークの挿入口から突出させることができるため、従来の誘導部（図４、符号２０７参照。）の機能を有するように構成することができる（例えば、図９Ｂ、図１０Ｂ参照。）。また、ワークの挿入口とは反対側の開口部から突出させるように構成した場合は、ワーク保持部と、前述した移動機構の移動部との連結を容易に行うことができる。
【００３８】
本発明を構成するワーク固定部は、しぼり型の長軸方向に沿ってワークを、しぼり型に対して相対的に移動させ、かつワークを固定するように構成されている。しぼり型に対し、しぼり型の一方端から他方端に亘る長軸方向に沿ってワークを相対的に移動させることができるため、ワークの長手方向の中心軸をしぼり型の空間の中心軸に一致させることが容易である。また、ワークを固定することができるため、ワークがしぼり型の空間内に配置されたワーク保持部に接触しつつ、しぼり型に対し相対的に移動する際に、ワークの固定部からの脱落や移動不良を防止することができる。ワーク固定部をしぼり型に対して移動させる場合の移動機構は、特に限定はない。例えば、しぼり型の長軸方向のみに移動方向が規制された誘導路を設け、当該誘導路に沿って移動する移動部とワーク固定部とを連結させることで構成することができるが、これに限定されるわけではない。また、移動部の移動は手動又は公知の自動駆動装置を採用することができる。
【００３９】
ワーク固定部は、しぼり型の長軸方向に交差する方向で且つ水平方向に相対的に移動可能に構成されていてもよい。このような構成を有する場合、例えば、ワーク固定部を複数設けて、連続してワークの加工が可能になる。また、例えばバルーンの折り畳みと折り重ね等異なる複数種の加工を行うように複数種のしぼり型を設けた場合に、連続して行うことも可能になる。長軸方向に交差する方向は、特に限定はないが、複数のワーク固定部や複数種のしぼり型を設けた場合に、装置の小型化する等の観点からは、直交する方向が好ましい。この際のワーク固定部の移動機構も、前述と同様の構成を採用することができる。なお、複数のしぼり型を設ける場合、ワーク保持部は全てのしぼり型に設けても良いし、必要なしぼり型のみ選択して設けてもよい。もっとも、必要なしぼり型のみ選択してワーク保持部を設けた場合でも、装置全体として本発明の範疇に属することは勿論のことである。
【００４０】
尚、ワーク固定部の移動機構は、例えば特許文献１に記載の構成を採用してもよい。
【００４１】
ワーク固定部に対してワークを固定する構成は、特に限定はない。例えば、ワーク固定部に水平面を設け、当該水平面に、しぼり型の長軸方向に平行なワークの少なくとも一部を収容可能な連続する凹部を設けた構成、水平面上に不連続の凸部を複数設けて凸部間にワークを挟み込む構成、ワークを鉛直方向上側から圧潰しない程度に押圧する押圧機構を設けた構成、これらの組み合わせ等が挙げられるが、これらに限定されるものではない。
【００４２】
ワークがバルーンカテーテルである場合は、バルーン全長を加工するため、ワーク固定部はバルーンより後端側を固定するのが好ましい。
【００４３】
尚、必要に応じて行う、しぼり型、ワーク保持部及びワーク固定部の移動、並びに、しぼり型の空間の大きさの変動は、手動で行ってもよいし、自動駆動装置を必要に応じて手動で作動させてもよいし、全て自動制御で自動駆動装置を作動させてもよい。このような構成は、公知の自動駆動装置や自動制御装置を採用することができる。
【００４４】
本発明のワークの加工方法は、ワークをワーク固定部に固定する固定工程、水平方向に一方端と他方端を有し、一方端から他方端に亘る長軸方向にワークの少なくとも一部を受け入れ可能な空間が形成され、前記長軸方向に直交する方向の前記空間の大きさを変動可能なしぼり型の前記空間の大きさをワーク保持部及びワークを配置可能な大きさにするしぼり型準備工程、しぼり型の前記空間に、ワークを鉛直方向下側から支持するワーク保持部の存在下で、ワークを前記長軸方向に配置する配置工程、ワーク保持部を前記空間から除去する除去工程、しぼり型の前記空間の大きさを縮小させ、前記空間に配置されているワークを加工する加工工程を含む。本発明では、これらの工程を少なくとも一回行えばよい。例えば、異種のしぼり型を用いて複数種の加工を行う場合、各しぼり型毎にしぼり型準備工程、配置工程、除去工程、加工工程を繰り返し行い、固定工程は初期の１回のみ行う場合がある。また、複数のワークに同じ加工を行う場合も、一群の複数のワークについて固定工程を行った後は、ワーク毎に、しぼり型準備工程、配置工程、除去工程、加工工程が行われる。
【００４５】
このようなワークの加工方法は、例えば、前述した加工装置を用いることで、実現できる。そこで、以下では、図面を参照しつつ、加工装置の実施形態の動作と共に実現される加工方法の説明を行う。尚、ワークとしてバルーンカテーテルを用いた場合を説明する。
【００４６】
図８Ａ〜図８Ｄは、本発明に係る加工装置の第一実施形態を用いて、ワークとしてバルーンカテーテルを用いてバルーンの折り畳み加工を行う際の加工装置の作動状態を示したものである。言い換えれば、第一実施形態に係る加工方法の工程を示したものでもある。但し、バルーンを折り畳む工程以降の工程は、例えば図２Ｃ、図２Ｄに準じて行うとよい。
【００４７】
第一実施形態に係る加工装置４００は、しぼり型２０１、ワーク保持部４１０、ワーク固定部２０４を備える。また、ワーク固定部２０４は架台部２０５に移動可能に構成されている。しぼり型２０１は、折り畳み時にバルーンに形成される翼部の数等に応じて例えば図６Ａ〜６Ｃの何れかの折畳しぼり型を採用すればよい。ワーク保持部４１０は、断面円形状の円筒形状を有している。そして、ワークであるバルーンカテーテル２０２のバルーン２０３を含む先端部分を挿入可能な大きさの中空部４１２を有する。中空部４１２はワーク保持部４１０の全長に亘り形成され、少なくともワークに近接する側で開口する開口部４１３を有する。図８Ａ等に示されるように、しぼり型２０１は、水平方向の一方端にワーク保持部４１０の挿入、除去が行われる開口部２２１、水平方向の他方端にワークであるバルーンカテーテル２０２の挿入、除去が行われる挿入口２０８を有する。そして、他方端である挿入口２０８から一方端である開口部２２１に亘る長軸方向に、ワークの少なくとも一部であるバルーンカテーテルのバルーンを含む先端部分を受け入れ可能な空間２０６が形成されている。この長軸方向に直交する方向において空間２０６の大きさを変動可能になっている。また、しぼり型２０１の挿入口２０８近傍には誘導部２０７が設けられている。第一実施形態では、しぼり型２０１は固定されており、ワーク保持部４１０及びワーク固定部２０４が、しぼり型２０１に対し、その一方端２２１から他方端２０８に亘る長軸方向に沿って相対的に移動可能に構成されている。これらの移動は、手動又は自動駆動によって行われる。また、その移動時期は、作業者の判断又は自動制御により行われる。
【００４８】
図８Ａは、ワーク固定部２０４が、ワークを固定するための位置に配置され、ワークであるバルーンカテーテル２０２がワーク固定部２０４に押圧機構２２０により固定された状態である。即ち、固定工程が行われた状態を示している。また、しぼり型２０１の空間２０６の長軸方向に直交する方向の大きさが、ワーク保持部４１０が配置可能な大きさになった状態である。即ち、しぼり型準備工程が行われた状態をも示している。尚、しぼり型準備工程は、連続してワークの加工を行う場合は、ワークをしぼり型から取り出す際に行われる場合を含む。また、しぼり型準備工程と固定工程の順序は問わない。バルーンカテーテル２０２のうち、ワーク固定部２０４から突出したバルーン２０３を含む先端部分は、自重により鉛直方向下側に垂れ下がっている。
【００４９】
図８Ａに示すように固定工程としぼり型準備工程が終了した後、ワーク保持部４１０がしぼり型２０１の一方端である開口部２２１側からしぼり型２０１の長軸方向に沿って空間２０６に挿入される。図８Ｂは、しぼり型２０１の空間２０６にワーク保持部４１０が挿入された時の状態を模式的に示している。誘導部２０７が存在するため、ワーク保持部４１０の開口部４１３はしぼり型２０１の挿入口２０８と端部で一致させている。ワーク保持部４１０は、移動機構により、しぼり型２０１の外部からしぼり型に向かうように、しぼり型の長軸方向に沿ってしぼり型に対して相対的に移動させる。しぼり型の移動は、手動又は自動駆動により行われる。
【００５０】
図８Ｂに示すようにしぼり型２０１の空間２０６にワーク保持部４１０が挿入された後、ワーク固定部２０４をしぼり型２０１の長軸方向に沿ってしぼり型２０１に対して相対的に移動させ、バルーンカテーテル２０２のバルーン２０３を含む先端部分をワーク保持部４１０の中空部４１２に挿入する。この時、バルーン２０３を含む先端部分は鉛直下側に垂れ下がっているが、誘導部２０７により空間２０６に誘導可能な程度である場合の例である。ワーク固定部２０４をしぼり型２０１側移動させることで、しぼり型２０１の空間２０６に、ワーク保持部４１０でバルーン２０３を鉛直方向下側から支持しつつ、バルーン２０３をしぼり型２０１の長軸方向に配置する。図８Ｃは、配置工程が終了した時の状態を示している。図８Ｃに示すように、バルーン２０３の垂れ下がり状態によるが、バルーン２０３の先端側が支持されている。このようにバルーン２０３の先端側が支持される場合で、従来のようにワーク保持部４１０がない場合は、図５に示す状況になる。そのため、バルーン２０３の先端部分に対する負荷が大きくなる傾向にあり、バルーンの損傷の可能性が大きくなる傾向にある。しかし、本発明ではワーク保持部４１０を用いるため、このような状況を回避可能である。つまり、バルーンの先端側をワーク保持部により保持することになる場合は、本発明の効果をより享受し得る。
【００５１】
バルーン２０３を含む部分をしぼり型２０１の空間２０６に配置した後、ワーク保持部４１０をしぼり型２０１の空間２０６から除去する。ワーク保持部４１０の除去は、ワーク保持部４１０を、しぼり型２０１の空間２０６に挿入する時とは反対方向に移動させることで行うことができる。即ち、しぼり型２０１の一方端である開口部２２１側から長軸方向に沿って空間２０６から除去される。図８Ｄは、しぼり型２０１の空間２０６からワーク保持部４１０の全体を除去した時の状態、即ち、除去工程が終了した時の状態を模式的に示したものである。尚、ワーク保持部４１０を除去することで、空間２０６内でバルーン２０３が鉛直方向下側に垂れ下がることになるが、この状態でバルーンの折り畳み加工を行った場合でも、問題なく折り畳み加工ができることは当業者には自明である。
【００５２】
ワーク保持部４１０を除去した後は、例えば図２Ｃに示すように、しぼり型２０１の長軸方向に直交する方向の空間２０６の大きさを縮小させることで、しぼり型２０１の構造に応じて、例えば図６Ｄ〜図６Ｆに示す翼部を有するようにバルーン２０３に折り畳み処理する加工工程が行われる。折り畳まれた後は、図２Ｄに示すように、ワーク固定部２０４をしぼり型２０１とは反対側に移動させ、バルーン２０３を含む先端部分を空間２０６から除去する。除去した後は、翼部が形成されたバルーンを折り重ねる工程を行うとよい。この場合、例えば特許文献１に示すように、折り畳みを行うしぼり型と折り重ねを行うしぼり型を並列に並べて、両加工を行うようにワーク固定部２０４を順次移動させるように構成してもよい。
【００５３】
図９Ａ〜図９Ｄは、本発明に係る加工装置の第二実施形態を用いて、ワークとしてバルーンカテーテルを用いてバルーンの折り畳み加工を行う際の加工装置の作動状態を示したものである。言い換えれば、第二実施形態に係る加工方法の工程を示したものでもある。但し、第一実施形態の場合と同様に、バルーンを折り畳む工程以降の工程は、例えば図２Ｃ、図２Ｄに準じて行うとよい。
【００５４】
第二実施形態に係る加工装置４０１は、しぼり型２０１、ワーク保持部４１１、ワーク固定部２０４を備える。また、ワーク固定部２０４は架台部２０５に移動可能に構成されている。第二実施形態に係る加工装置４０１は、ワーク保持部４１１の構成、しぼり型２０１が誘導部２０７を備えない点で、第一実施形態に係る加工装置４００と異なる。したがって、図９Ａ〜図９Ｄでは、異なる構成以外は同じ符号を付し、異なる構成について以下で説明する。
【００５５】
ワーク保持部４１１は、図７に示すようにバルーン２０３と接触する部分の断面が円弧状の構造を有する。また、図９Ａ等に示すように、しぼり型２０１の空間２０６の長軸方向の長さより長く構成されている。
【００５６】
第二実施形態に係る加工装置４０１では、しぼり型２０１の空間２０６の大きさをワーク保持部４１１及びワークであるバルーンカテーテル２０２のバルーン２０３が配置可能な大きさに調整する。即ち、しぼり型準備工程を行う。そして、しぼり型２０１の他方端である挿入口２０８の側から突出するようにワーク保持部４１１が設置される。図９Ａは、この時の状態を模式的に示したものである。このように、ワーク保持部４１１がしぼり型２０１の挿入口２０８から突出するように設置されるため、第一実施形態の場合のような誘導部２０７を設ける必要がない。また、誘導部２０７の開口部よりもバルーン２０３部分の垂れ下がりが大きくなるような場合でも、しぼり型２０１の空間２０６にバルーン２０３部分を容易に挿入可能である。
【００５７】
このように、ワーク保持部４１１をしぼり型２０１に設置した後、ワークであるバルーンカテーテル２０２を押圧機構２２０によりワーク固定部２０４に固定する。この時、バルーン２０３の先端側がワーク保持部４１１と接触するようにバルーンカテーテル２０２を固定することができる。これにより、ワーク保持部４１１の移動距離を短くすることができる。そのため、後述する除去工程に要する時間を短縮することができる。もっとも、図１０Ｂに示すようにバルーン２０３の大部分がワーク保持部４１１と接触するようにしてもよい。このような態様は、ワーク保持部４１１とワーク固定部２０４の間でバルーンカテーテル２０２の垂れ下がりが大きい場合に好適である。図９Ｂは、固定工程が終了した時の状態を模式的に示したものである。
【００５８】
固定工程終了後、ワーク保持部４１１のうちのしぼり型２０１の他方端２０８側から突出した部分にワークの一部であるバルーンカテーテル２０２のバルーン２０３を含む先端部分を支持しつつ、ワーク固定部２０４とともにしぼり型２０１の長軸方向に沿ってしぼり型２０１に対して相対的にワーク保持部４１１を移動させる。本実施形態では、しぼり型２０１が固定されているため、ワーク保持部４１１とワーク固定部２０４を移動させる。そして、しぼり型２０１の空間２０６内に、バルーン２０３を含む先端部分をしぼり型２０１の長軸方向に配置する。移動させる際の両者の速度は、移動開始時期は、いずれも同じであるのが好ましい。もっとも、ワーク固定部２０４を先に移動させてもよいし、ワーク固定部２０４の速度をワーク保持部４１１から脱落しない程度に早くしてもよい。図９Ｃは、配置工程が終了した時の状態を模式的に示したものである。
【００５９】
配置工程終了後、ワーク保持部４１１は、しぼり型２０１の長軸方向に沿ってしぼり型２０１に対して相対的に移動し、しぼり型２０１の一方端である開口部２２１の側から除去される。図９Ｄは、除去工程が終了した時の状態を模式的に示したものである。除去工程終了後は、第一実施形態の場合と同様にして、バルーン２０３を折り畳み処理する加工工程等を行うとよい。
【００６０】
図１０Ａ〜図１０Ｄは、本発明に係る加工装置の第三実施形態を用いて、ワークとしてバルーンカテーテルを用いてバルーンの折り畳み加工を行う際の加工装置の作動状態を示したものである。言い換えれば、第三実施形態に係る加工方法の工程を示したものでもある。但し、第一実施形態の場合と同様に、バルーンを折り畳む工程以降の工程は、例えば図２Ｃ、図２Ｄに準じて行うとよい。
【００６１】
第三実施形態に係る加工装置４０２は、しぼり型２０１、ワーク保持部４２０、ワーク固定部２０４を備える。本実施形態は、第二実施形態の変形例である。即ち、第三実施形態では、ワーク固定部２０４が固定され、しぼり型２０１が移動可能に構成されている。また、ワーク保持部４２０の長さが第二実施形態の場合よりも長くなっている。したがって、図１０Ａ〜図１０Ｄでは、異なる構成以外は同じ符号を付し、異なる構成について以下で説明する。
【００６２】
ワーク保持部４２０は、図７に示すようにバルーン２０３と接触する部分の断面が円弧状の構造を有する。また、図１０Ａ等に示すように、しぼり型２０１の空間２０６の長軸方向の長さより長く構成されているが、前述のように、しぼり型２０１から突出する部分の長さが、第二実施形態の場合よりも長く、図１０Ｂに示すようにバルーン２０３の大部分を保持するように構成されている。しぼり型２０１は、ワーク固定部２０４及びワーク保持部４２０に対して相対的に移動可能なように架台部２２２に固定されている。しぼり型２０１は、その長軸方向に沿って移動することで、ワーク固定部２０４に固定されたワークであるバルーンカテーテル２０２及びワーク保持部４２０を相対的に移動させる。また、保持部４２０は、誘導路に沿って移動する移動部２２３と連結されている。移動部２２３の移動は、手動又は公知の自動駆動装置を採用することができる。
【００６３】
第三実施形態に係る加工装置４０２でも、しぼり型２０１の空間２０６の大きさをワーク保持部４２０及びワークであるバルーンカテーテル２０２のバルーン２０３が配置可能な大きさに調整する。即ち、しぼり型準備工程を行う。そして、しぼり型２０１の他方端である挿入口２０８の側から突出するようにワーク保持部４２０が設置される。図１０Ａは、この時の状態を模式的に示したものである。
【００６４】
このように、ワーク保持部４２０をしぼり型２０１に設置した後、ワークであるバルーンカテーテル２０２を押圧機構２２０によりワーク固定部２０４に固定する。この時、バルーン２０３の大部分がワーク保持部４１１と接触するようにバルーンカテーテル２０２を固定することができる。第二実施形態の場合のようにバルーン２０３の先端側がワーク保持部４２０と接触するように構成してもよい。図１０Ｂは、固定工程が終了した時の状態を模式的に示したものである。
【００６５】
固定工程終了後、ワーク保持部４２０のうちのしぼり型２０１の他方端２０８側から突出した部分にワークの一部であるバルーンカテーテル２０２のバルーン２０３を含む先端部分を支持しつつ、ワーク固定部２０４とともにしぼり型２０１の長軸方向に沿ってしぼり型２０１に対して相対的にワーク保持部４１１を移動させる。本実施形態では、ワーク固定部２０４が固定されているため、しぼり型２０１を移動させる。そして、しぼり型２０１の空間２０６内に、バルーン２０３を含む先端部分をしぼり型２０１の長軸方向に配置する。図１０Ｃは、配置工程が終了した時の状態を模式的に示したものである。
【００６６】
配置工程終了後、ワーク保持部４２０は、しぼり型２０１の長軸方向に沿ってしぼり型２０１に対して相対的に移動し、しぼり型２０１の一方端である開口部２２１の側から除去される。図１０Ｄは、除去工程が終了した時の状態を模式的に示したものである。除去工程終了後は、第一実施形態の場合と同様にして、バルーン２０３を折り畳み処理する加工工程等を行うとよい。
【００６７】
図１１Ａ〜図１１Ｃは、本発明に係る加工装置の第四実施形態を用いて、ワークとして複数のバルーンカテーテルを用いてバルーンの折り畳み加工、及び、折り畳み加工されたバルーンの折り重ね加工を行う際の加工装置の作動状態を模式的に示したものである。言い換えれば、第四実施形態に係る加工方法の工程を示したものでもある。また、ワークであるバルーンカテーテルは、第一実施形態と同様のものを用いた場合を例示したため、同じ符号を付している。また、図１に示したのと同様に、本実施形態で用いるバルーンカテーテル２０２にはマンドレル１０５が挿入されている。
【００６８】
第四実施形態に係る加工装置５００は、折畳しぼり型５１０、折り重ねしぼり型５２０、各しぼり型５１０、５２０に対応して設けられるワーク保持部５３０、複数のワーク固定部５５０を備えている。尚、図１１Ａ〜図１１Ｂに示す各しぼり型５１０、５２０の構成は、本実施形態の説明及び図面作成の都合上、説明上必要な構成を簡略化して示している。また、本実施形態の各しぼり型５１０、５２０には、図８Ａ〜図８Ｄに示した誘導部２０７に対応する構成を有しているが、その構成は、本実施形態の説明の都合上、省略している。
【００６９】
折畳しぼり型５１０は、水平方向に一方端５１３と他方端５１４を有し、一方端５１３から他方端５１４に亘る長軸方向にバルーンカテーテル２０２のバルーン２０３を含む部分を受け入れ可能な空間５１２、が形成されている。折畳しぼり型の一方端５１３及び他方端５１４は開口し、一方端５１３側からワーク保持部５３０の挿入、除去が可能になっており、他方端５１４側からバルーン２０３を含む部分の挿入、除去が可能になっている。また、本実施形態では、折畳しぼり型５１０は、図７に示すように４つのセグメント５１１を有している。そして、セグメント５１１を移動させることで、折畳しぼり型５１０の長軸方向に直交する方向において、空間５１２の大きさを変動させることが可能になっている。
【００７０】
折畳しぼり型５１０は、架台部５４０の上面部に支持部を介して長軸方向が水平になるように支持されている。尚、支持部は、折り重ねしぼり型５１０の支持部５４２と同様の構成を有する。
【００７１】
折り重ね型５２０は、水平方向に一方端５２３と他方端５２４を有し、一方端５２３から他方端５２４に亘る長軸方向にバルーンカテーテル２０２のバルーン２０３を含む部分を受け入れ可能な空間５２２、が形成されている。折り重ね型５２０では、バルーン２０３が折畳しぼり型５１０により折り畳まれた状態のバルーン２３０を含む部分を受け入れ可能になっている。折り重ねしぼり型５２０の一方端５２３及び他方端５２４は開口し、一方端５２３側からワーク保持部５３０の挿入、除去が可能になっており、他方端５２４側からバルーン２０３（２３０）を含む部分の挿入、除去が可能になっている。また、本実施形態では、折り重ねしぼり型５２０は、８つのセグメント５２１を有している。そして、セグメント５２１を移動させることで、折り重ねしぼり型５２０の長軸方向に直交する方向において、空間５２２の大きさを変動させることが可能になっている。尚、折り重ねしぼり型５２０としては、例えば、特許文献１等に記載のものを用いることができる。
【００７２】
折り重ねしぼり型５２０は、架台部５４０の上面部に支持部５４２を介して長軸方向が水平になるように支持されている。
【００７３】
ワーク保持部５３０は、しぼり型５１０、５２０の長軸方向に直線状に伸び、鉛直方向上側が開口するように、しぼり型５１０、５２０の長軸方向に垂直な方向の断面が円弧状に形成されており、バルーン２０３を含む部分を鉛直方向下側から支持可能になっている。また、ワーク保持部５３０は、架台部５４０の上面部に支持部５３１を介して、長軸方向が水平になるように支持されている。本実施形態では、ワーク支持部５３０のしぼり型５１０、５２０に近接する側とは反対側の端部に支持部５３１が連結されている。さらに、ワーク支持部５３１は、架台部５４０に設けられた誘導路５４１に沿って移動可能な移動部５３２を有する。誘導路５４１は、しぼり型５１０、５２０の長軸方向に平行に設けられており、ワーク保持部５３０は、しぼり型５１０、５２０に対してしぼり型５１０、５２０の長軸方向に沿って移動可能になっている。そのため、ワーク保持部５３０はしぼり型５１０、５２０の空間５１２、５２２内をそれぞれの長軸方向に沿って移動可能になっている。
【００７４】
各ワーク固定部５５０は、上面部５５２の水平面上にバルーンカテーテル２０２を載置可能になっている。上面部５５２には、バルーンカテーテル２０２をしぼり型５１０、５２０の長軸方向に沿って平行に載置するための凹条を設けてもよい。また、上面部５５２には押圧機構５５１が設けられ、バルーンカテーテル２０２を圧潰しない程度に押圧して、バルーン２０３の後端側でバルーン２０３を固定している。
【００７５】
ワーク固定部５５０は、架台部５６０の水平面上で、しぼり型５１０、５２０の長軸方向に平行に設けられた移動誘導路５６１に沿って移動可能な移動部５５３を有する。これにより、バルーンカテーテル２０２のバルーン２０３を含む部分をしぼり型５１０、５２０の長軸方向に沿って移動可能である。また、移動誘導路５６１は、架台部５６０の水平面上に、しぼり型５１０、５２０の長軸方向に直交する方向に伸びる平行する２つの誘導路５６２、５６３に沿って移動可能に構成されている。これにより、移動誘導路５６１を介してワーク固定部５５０は、バルーンカテーテル２０２の長軸方向をしぼり型５１０、５２０の長軸方向に平行に維持しつつ、しぼり型５１０、５２０の長軸方向に直交する方向で水平に移動させることができる。そのため、複数の固定部５５０をしぼり型５１０、５２０の長軸方向に直交する方向で且つ水平方向に複数連接することができ、複数のバルーンカテーテル２０２に対して複数のしぼり型による加工を連続して行うことができる。本実施形態では、複数のワーク固定部５５０はしぼり型５１０、５２０の長軸方向に直交する方向に移動可能に連接しているが、しぼり型による加工の種類や加工位置等に応じて直交以外の交差方向であってもよい。もっとも、処理効率、装置の小型化及び簡素化等の観点からは、直交方向が有利である傾向にある。また、隣接する移動誘導路５６１同士の距離は、処理効率の観点から、等しくなるように設置するのが好ましい。
【００７６】
第四実施形態でも、初期段階において、複数のワーク固定部５５０が、ワークを固定するための位置に配置され、ワークであるバルーンカテーテル２０２がワーク固定部５５０に押圧機構５５１により固定される、固定工程が行われる。詳説すると以下のとおりである。各ワーク固定部５５０は、移動誘導部５６１に対して、しぼり型５１０、５１２との間にバルーン２０３を含む部分を配置可能な位置に配置される。更に、最初に折り畳み加工がおこなわれるバルーンカテーテル２０２が固定されるワーク固定部５５０は、誘導路５６２、５６３に対して、折畳しぼり型５１０より上流側に配置される。または、折畳しぼり型５１０の空間５１２の中心軸と鉛直方向平面視でバルーンカテーテル２０２の中心軸が一致するようにワーク固定部５５０が配置される。また、このようにワーク固定部５５０を配置させる前又は後にバルーンカテーテル２０２をワーク固定部５５０に固定する。
【００７７】
その後、しぼり型５１０、５１２の空間５１２、５２２の大きさをワーク保持部５３０及びバルーン２０３を配置可能な大きさに調整し、しぼり型を準備するしぼり型準備工程を行う。併せて、必要に応じて、ワーク固定部５５０を誘導路５６２、５６３に沿ってしぼり型５１０、５２０の長軸方向に直交する方向で水平に移動させる。本実施形態では折畳加工を先ず行うため、折畳しぼり型５１０の側から折り重ねしぼり型５２０の側に水平に移動させる（図１１Ａの矢印参照。）。この時、しぼり型５１０、５１２の空間５１２、５２２の中心軸と、バルーン２０３を含む部分の中心軸と、を鉛直方向平面視で一致させるように各ワーク固定部５５０を移動させて、停止させる。そして、しぼり型５１０、５１２の空間５１２、５２２の大きさを、セグメント５１１、５２１を移動させて、ワーク保持部５３０及びバルーン２０３が配置可能な大きさにする。そして、各空間５１２、５２２に対して、移動部５３２をしぼり型５１０、５１２側に移動させることでワーク保持部５３０を一方端５１３、５２３側から空間５１２、５２２に挿入する。図１１Ａは概ねこの時の状態を示したものである。但し、図１１Ａは、いくつかのバルーンカテーテル２０２の加工処理が既に行われている時の状態を示したものである。尚、ワーク固定部５５０を誘導路５６２、５６３に沿ってしぼり型５１０、５２０の長軸方向に直交する方向で水平に移動させて、所定の位置に停止させる際の、しぼり型５１０、５２０に対するワーク固定部５５０の位置の調整は、移動距離による制御、位置センサーによる制御、撮像による画像認識に基づく制御などにより行われるのが好ましい。また、後述するように、加工工程後に、バルーン２０３をしぼり型５１０、５１２から取り出す際に、しぼり型準備工程が行われる場合がある。
【００７８】
次に、しぼり型５１０、５１２の空間５１２、５２２に、バルーン２０３を鉛直方向下側から支持するワーク保持部５３０の存在下で、バルーン２０３を長軸方向に配置する配置工程を行った後、ワーク保持部５３０を空間５１２、５２２から除去する除去工程を行う。
【００７９】
尚、以上の固定工程、しぼり型準備工程、配置工程、除去工程は、例えば図８Ａ〜８Ｄに示す第一実施形態に準じて行われ得る。
【００８０】
そして、しぼり型５１０、５１２の空間５１２、５２２の大きさを縮小させ、空間５１２、５２２に配置されているバルーン２０３を加工する加工工程を行う。図１１Ｂは加工工程を行っている時の状態を模式的に示したものである。図１１Ｂに示すように、本実施形態では、
ワーク固定部５５０が移動誘導路５６１に沿ってしぼり型５１０、５２０に向かって移動することで、折畳しぼり型５１０に未加工のバルーン２０３が挿入されて、その空間５１２の大きさを小さくすることで折り畳み加工がバルーン２０３に施されると同時に、折り重ねしぼり型５２０に、折畳しぼり型５１０で折り畳み加工が施されて翼部２３１が形成されたバルーン２３０が挿入されて、その空間５２２の大きさを小さくすることで折り重ね加工がバルーン２３０に施される。
【００８１】
加工工程の終了後、しぼり型５１０、５１２の空間５１２、５２２の大きさを、セグメント５１１、５２１を移動させて大きくする。そして、空間５１２、５２２に対して、移動部５３２をしぼり型５１０、５１２側とは反対側に移動させることでワーク保持部５３０を一方端５１３、５２３側から取り出す。併せて、各空間５１２、５２２に対して、移動部５３２をしぼり型５１０、５１２側に移動させることでワーク保持部５３０を一方端５１３、５２３側から空間５１２、５２２に挿入する。ワーク保持部５３０の移動は、バルーン２３０、２３２の取り出しと同時又は取り出し後に行われる。図１１Ｃは概ねこの時の状態を示したものである。図１１Ｃに示すように、バルーン２３２には、折畳加工により翼部２３３が形成され、翼部２３１が形成されたバルーン２３０は、折り重ね加工により翼部２３１が折り重ねられ、バルーン２３０の長軸方向に直交する方向の大きさが折畳加工前より小さくなっている。加工されたバルーン２３０、２３２をしぼり型５１０、５１２の空間５１２、５２２から取り出す際に、空間５１２、５２２の大きさを、セグメント５１１、５２１を移動させて、ワーク保持部５３０及びバルーン２０３が配置可能な大きさにすることで、しぼり型準備工程が行われる。併せて、処理効率向上の観点から、ワーク保持部５３０を空間５１２、５２２に配置するのが好ましい。
【００８２】
加工されたバルーン２３０、２３２をしぼり型５１０、５１２の空間５１２、５２２から取り出した後、各ワーク固定部５５０を、可動誘導路５６１を介して誘導路５６２、５６３に沿ってしぼり型５１０、５２０の長軸方向に直交する方向で、折畳しぼり型５１０の側から折り重ねしぼり型５２０の側に水平に移動させる（図１１Ｃの矢印参照。）。そして、しぼり型５１０、５１２の空間５１２、５２２の中心軸と、バルーン２０３を含む部分の中心軸と、を鉛直方向平面視で一致させるように各ワーク固定部５５０を移動させて、停止させる。
【００８３】
以上のような工程を繰り返し行うことで、一群の複数のバルーンカテーテル２０２のバルーン２０３に対して、折り畳み加工及び折り重ね加工を行うことができる。
【００８４】
以上、本発明に係る加工装置及び加工方法の実施形態について、主としてワークとしてバルーンカテーテルを用い、バルーンに折り畳み処理を行う場合を例に説明したが、本発明は、各種のワークに対してしぼり型を用いて行う各種の加工に適用可能である。
【符号の説明】
【００８５】
１００、２０２  バルーンカテーテル
１０１  外管
１０２、１０６  内腔部
１０３  内管
１０４、２０３、２３０、２３２  バルーン
１０５  マンドレル
１１０、１１１、１１２、１１３、１２０、１２１、１２２  翼部
１３０、１３１、１３２、１３３、１３４  翼部
２００、４００、４０１、４０２、５００  加工装置
２０１  しぼり型
２０１ａ、２０１ｂ  セグメント
２０３ａ、２０３ｂ、２３１、２３３  翼部
２０４、５５０  ワーク固定部
２０５、２２２、５４０、５６０  架台部
２０６、３１８、３２６、３４０、５１２、５２２  空間
２０７  誘導部
２０８  挿入口（他方端）
２０９  傾斜部
２１１、２１２、２１３、２１４  セグメント
２１５、２１６、２１７、２１８  突出部
２２０、５５１  押圧機構
２２３  移動部
３０１、３０２、３０３、５１０  折畳しぼり型
３１０、３１１、３１２、３１３、３２０、３２１、３２２  セグメント
３１４、３１５、３１６、３１７、３２３、３２４、３２５  突出部
３３０、３３１、３３２、３３３、３３４  セグメント
３３５、３３６、３３７、３３８、３３９  突出部
４１０、４１１、４２０、５３０  ワーク保持部
４１２  中空部
４１３  開口部
５１１、５２１  セグメント
５１３、５２３  一方端
５１４、５２４  他方端
５２０  折り重ねしぼり型
５３１  支持部
５３２  移動部
５４１  誘導路
５４２  支持部
５５２  上面部
５５３  移動部
５６１  移動誘導路
５６２、５６３  誘導路
Ｌ  長さ
【図１】
2017158884.tif 000003
【図２Ａ】
2017158884.tif 000004
【図２Ｂ】
2017158884.tif 000005
【図２Ｃ】
2017158884.tif 000006
【図２Ｄ】
2017158884.tif 000007
【図３】
2017158884.tif 000008
【図４】
2017158884.tif 000009
【図５】
2017158884.tif 000010
【図６Ａ】
2017158884.tif 000011
【図６Ｂ】
2017158884.tif 000012
【図６Ｃ】
2017158884.tif 000013
【図６Ｄ】
2017158884.tif 000014
【図６Ｅ】
2017158884.tif 000015
【図６Ｆ】
2017158884.tif 000016
【図７】
2017158884.tif 000017
【図８Ａ】
2017158884.tif 000018
【図８Ｂ】
2017158884.tif 000019
【図８Ｃ】
2017158884.tif 000020
【図８Ｄ】
2017158884.tif 000021
【図９Ａ】
2017158884.tif 000022
【図９Ｂ】
2017158884.tif 000023
【図９Ｃ】
2017158884.tif 000024
【図９Ｄ】
2017158884.tif 000025
【図１０Ａ】
2017158884.tif 000026
【図１０Ｂ】
2017158884.tif 000027
【図１０Ｃ】
2017158884.tif 000028
【図１０Ｄ】
2017158884.tif 000029
【図１１Ａ】
2017158884.tif 000030
【図１１Ｂ】
2017158884.tif 000031
【図１１Ｃ】
2017158884.tif 000032